【事件の表示】
　特願２００７−１７１４９１号「連接装置」拒絶査定不服審判事件〔平成２０年　２月２８日出願公開、特開２００８−４７５１７号〕について、次のとおり審決する。
【結　論】
　本件審判の請求は、成り立たない。
【理　由】
第１　手続の経緯
　本願は、平成１９年６月２９日（パリ条約の例による優先権主張２００６年８月１４日、（ＴＷ）台湾）の出願であって、平成２２年３月３０日付けで拒絶査定がされ、この査定に対し、同年７月２９日に本件審判が請求され、当審において平成２３年６月７日付けで拒絶理由を通知したところ、同年１０月１３日に手続補正がなされると共に意見書が提出されたものである。
　
第２　本願発明について
１．本願発明
　本件出願の請求項１〜１３に係る発明は、平成２３年１０月１３日の手続補正書により補正された特許請求の範囲の請求項１〜１３に記載された事項により特定されるものと認められるところ、請求項１に係る発明（以下「本願発明」という。）は、次のとおりである。
「【請求項１】
　それぞれ第一端と、第二端と、タップとを有する一次コイルおよび二次コイルを有する少なくとも一つの絶縁変圧器と、
　信号線間の高圧インパルス保護を実行する少なくとも一つの過渡電圧サプレッサと、
　回路板上に配置され、前記一次コイルの前記第一端および前記第二端に結合される複数のピンを有するスロットと、
　前記絶縁変圧器の前記一次コイルと接地端との間に配置される高圧インパルスプロテクタと、を備え、
　前記高圧インパルスプロテクタは、前記スロットの前記複数のピンに、直接接続しないように、それぞれ対応して配列される複数の尖端を有する導電層と、前記導電層と前記接地端との間に接合されるキャパシタとを有し、高圧インパルスが発生する時、高圧により生じる過電流を尖端放電により接地端に放電することを特徴とする連接装置。」
　
２．引用刊行物とその記載事項
（１）当審における平成２３年６月７日付けで通知した拒絶の理由に引用された、本願優先日前に頒布された刊行物である特許第３４３９１６０号公報（以下「刊行物１」という。）には、プリント基板に組み込まれた回路部品を衝撃的に高い電圧から保護することに適したプリント基板装置及びその製造方法に関して、次の技術的事項が記載されている。 
　（ア）「【請求項１】  回路パターンの所定部分に回路部品を接続し、かつ端部に複数の第１のスルーホールを有する第１のプリント基板と、
前記第１のスルーホールに対応するグランド用のスルーホールを含む第２のスルーホールが形成されるとともに、表面に導電ランドが形成され、前記グランド用のスルーホールを除く他の前記第２のスルーホールと前記導電ランドとの間に放電ギャップが形成され、さらに前記グランド用のスルーホールと前記導電ランドとが抵抗及びコンデンサを介して電気的に接続される第２のプリント基板と、
コネクタ本体よりグランド用のリード端子を含む複数のリード端子を、前記第１及び第２のスルーホールに対応する配列で導出してなるコネクタとを具備し、
前記コネクタが第１のプリント基板の端部に、前記複数のリード端子が前記第１及び第２のスルーホールに挿入されるように固定されると、前記グランド用のリード端子を除く他の前記リード端子と前記導電ランドとの間に放電ギャップが形成され、さらに前記グランド用のリード端子が前記グランド用のスルーホールに挿入されると、前記グランド用のリード端子と前記導電ランドとが電気的に接続されることを特徴とするプリント基板装置。」
　（イ）「【０００１】
【発明の属する技術分野】本発明は、プリント基板に組み込まれた回路部品を衝撃的に高い電圧から保護することに適したプリント基板装置及びその製造方法に関する。」
　（ウ）「【０００２】
【従来の技術】・・・これらのプリント基板には、たとえば静電気等のように短時間に衝撃的に印加される高い電圧から半導体ＩＣ等の回路部品を保護するための種々の対策が講じられている。
【０００３】このような保護対策として、たとえば高耐圧の回路部品を用いて回路設計したり、衝撃電圧を吸収できる保護素子を回路内部に組み込んだり、プリント基板の適宜の回路パターン部分に放電ギャップを形成したりする方法が採用されている。」
　（エ）「【０００４】
【発明が解決しようとする課題】・・・
【０００７】さらに、プリント基板の回路パターン部分に直接放電ギャップを形成する方法では、新規に回路設計する場合の対応は可能であるものの、プリント基板の大型化によりコストアップを招いてしまう。一方、既存のプリント基板に対しては回路パターンの変更が必要となり、その変更作業が極めて煩雑であることからもコストアップを招いてしまう。」
　（オ）「【００１１】（第１の実施の形態）図１は、本発明のプリント基板装置の第１の実施の形態を示す平面図、図２は、図１のプリント基板装置を示す側面図、図３は、図１のプリント基板装置を示す分解斜視図、図４は、図１の第２のプリント基板を示す平面図である。
【００１２】これらの図に示すように、プリント基板装置は、第１のプリント基板１を備えている。第１のプリント基板１には、図示しない適宜の回路パターンが形成されており、回路パターンの所定部分には各種の回路部品等が実装されている。
【００１３】第１のプリント基板１の端部には、図１〜図３に示すように、コネクタ６のリード端子８ａ〜８ｈが挿入される第１のスルーホールとしてのスルーホール（図示せず）及びコネクタ６の取付用の孔１ａが形成されている。第１のプリント基板１の端部には、第２のプリント基板２が配置されている。
【００１４】第２のプリント基板２は、たとえば絶縁性の基板３と、その表面に形成された導電ランド４とを備えている。基板３には、図３に示すように、コネクタ６のリード端子８ａ〜８ｈに対応する第２のスルーホールとしての複数のスルーホール３ａ〜３ｈが形成されている。ここで、スルーホール３ｈは、グランド用として用いられるものである。
【００１５】グランド用のスルーホール３ｈを除く全てのスルーホール３ａ〜３ｇと導電ランド４との間には、導電ランド４の未形成部５が形成されている。この未形成部５の一部には、スルーホール３ａ〜３ｇと導電ランド４との間に放電ギャップ４ａが形成されるように三角状の突起４ｂが導電ランド４と一体的に形成されている。
【００１６】なお、この放電ギャップ４ａは、静電気等の衝撃電圧によって容易に放電が発生して電圧吸収できるような間隔に設定されている。
【００１７】また、第１のプリント基板１の端部には、コネクタ６が固定されている。このコネクタ６は、たとえば絶縁部材よりなるコネクタ本体７と、コネクタ本体７の側面部から導出され、ほぼＬ形に形成された複数のリード端子８ａ〜８ｈと、リード端子８ａ〜８ｈの導出部に隣接する側面部に配設され、かつ孔９ａを有する支持片９とを備えている。
【００１８】リード端子８ａ〜８ｈは、第１のプリント基板１の図示しないスルーホール及び第２のプリント基板２のスルーホール３ａ〜３ｈに対応して配列されている。コネクタ６のリード端子８ａ〜８ｈは、対応するスルーホール３ａ〜３ｈに挿入されるように配置され、ネジ１０を孔９ａから孔１ａに挿入することによって固定されている。
【００１９】なお、リード端子８ｈはグランド用である。第２のプリント基板２の導電ランド４とリード端子８ｈとの間は、図４に示すように、抵抗１１及びコンデンサ１２を介し電気的に接続され、グランド電位へ固定されるようになっている。」
　（カ）「【００２６】まず、組み立て状態においては、図３及び図４に示したように、コネクタ６のリード端子８ａ〜８ｇと導電ランド４の突起４ｂとの間に放電ギャップ４ａが形成されている。このため、コネクタ６を介して静電気等の衝撃電圧が印加されても、衝撃電圧が印加されたリード端子８ａ〜８ｇと突起４ｂとの間の放電ギャップ４ａで直ちに放電が発生し、短時間で衝撃電圧が吸収される。
【００２７】また、グランド電位へは、導電ランド４が抵抗１１及びコンデンサ１２を介して接続されているため、吸収された衝撃電圧のグランド電位への直撃が防止される。これにより、第１のプリント基板１に実装されている回路部品等が衝撃電圧によって破壊されることが確実に防止される。」
　
　すると、上記の事項を総合すると刊行物１には、次の発明（以下「引用発明」という。）が開示されているものということができる。
「第１のプリント基板１の端部に配置され、複数のリード端子８ａ〜８ｈを有するコネクタ６と、
　コネクタ６を介して静電気等の衝撃電圧が印加されても、衝撃電圧が印加されたリード端子８ａ〜８ｇと突起４ｂとの間の放電ギャップ４ａで直ちに放電が発生し、短時間で衝撃電圧が吸収される構成と、を備え、
　衝撃電圧が吸収される構成は、コネクタ６のリード端子８ａ〜８ｇと、第１のプリント基板１に配置された第２のプリント基板２の表面に形成された導電ランド４の突起４ｂとの間に放電ギャップ４ａが形成され、グランド電位へは、導電ランド４が抵抗１１及びコンデンサ１２を介して接続され、コネクタ６を介して静電気等の衝撃電圧が印加されても、衝撃電圧が印加されたリード端子８ａ〜８ｇと導電ランド４との間の放電ギャップ４ａで直ちに放電を発生させることができ、短時間で衝撃電圧を吸収することができ、吸収された衝撃電圧のグランド電位への直撃が防止される、プリント基板に組み込まれた回路部品を衝撃的に高い電圧から保護することに適したプリント基板装置。」
　
（２）当審における平成２３年６月７日付けで通知した拒絶の理由に引用された、本願優先日前に頒布された刊行物である特開平１１−２６１８５号公報（以下「刊行物２」という。）には、電気的に絶縁されたシステムの過電圧保護に関して、次の技術的事項が記載されている。 
　（ア）「【０００１】
【産業上の利用分野】本発明は、電気的に絶縁されたシステムの過電圧保護に関する。より詳細には、本発明は、電気的絶縁要求を満たしながら高度な過電圧保護機能を備えた電子的インタフェースを提供する、高インピーダンス回路網と直列に接続されたスパーク・ギャップに関する。」
　（イ）「【０００２】
【従来の技術】・・・
【０００３】１０ＢａｓｅＴ装置の場合、前述の規格は、ＲＪ−４５コネクタに見られるようなＰＭＡ／ＭＤＩインタフェースをそれぞれアースから絶縁することを必要とする。さらに、そのようなインタフェースは、１５００ＶＡＣまたは２２５０ＶＤＣの絶縁試験に合格しなければならない。通常、これらの規格は、絶縁変圧器を使用してネットワーク通信装置をネットワーク媒体から絶縁することにより満たされる。たとえば、図１は、従来技術のネットワーク通信装置１０を示す。装置１０は、コンピュータ・システムまたはプリンタのネットワーク・アダプタ、ネットワーク・ハブ、または当技術分野で周知の任意の他のネットワーク通信装置を表すこともある。ネットワーク通信装置１０内には、絶縁変圧器１４に接続されたトランシーバ１２がある。絶縁変圧器１４は、さらにコネクタ１６に接続される。コネクタ１６は、通常、ネットワーク媒体に接続される。」
　（ウ）「【０００４】絶縁変圧器は、適切な電気的な絶縁を提供するが、静電放電（ＥＳＤ）事象で生じる損傷をほとんど防ぐことができない。・・・
【０００５】・・・従来技術において、ネットワーク通信装置の設計者は、ＥＳＤ規格に従うために様々な方法を利用してきた。最も簡単な方法は・・・「なにもしない」手法である。・・・
【０００６】もう１つの方法は、絶縁変圧器のセンタタップとアースの間にキャパシタを接続することである。たとえば、図１において、アースとセンタタップ１８および２０の間にキャパシタを接続することができる。キャパシタは、ＥＳＤ事象により出される電荷を緩和し、ネットワーク通信装置がＥＳＤ事象による破損を受けない確率を高くする。・・・」
　（エ）「【０００７】さらにもう１つの手法は、ＥＳＤ「スパーク・ギャップ」を利用することであり、これは、一方の電極が絶縁変圧器のセンタタップ（または差動信号の一方の導体）に接続され、他方の電極がアースまたはＥＳＤ事象によって出される電荷を除去することができる他の低インピーダンス経路に結合された、プリント回路基板上に配置された２つの平行導体電極として実現することができる。・・・」
　（オ）【図１】には、「従来技術ネットワーク通信装置を示す図」として、
それぞれ第一端と、第二端と、センタタップとを有する一次コイルおよび二次コイルを有する２つの絶縁変圧器、
　絶縁変圧器の１次側の第一端および第二端に接続するコネクタ、　
　絶縁変圧器の２次側の第一端および第二端に接続するトランシーバ、
を備えたネットワーク通信装置の構成が記載されている。
　
　すると、（オ）に図示された構成を前提とし、上記（エ）に記載された手法に着目して、上記の事項を総合すると刊行物２には、次の発明（以下「刊行物２記載の発明」という。）が開示されているものということができる。
「それぞれ第一端と、第二端と、センタタップとを有する一次コイルおよび二次コイルを有する２つの絶縁変圧器と、
　一方の電極が絶縁変圧器のセンタタップに接続され、他方の電極がアースまたはＥＳＤ事象によって出される電荷を除去することができる他の低インピーダンス経路に結合された、プリント回路基板上に配置された２つの平行導体電極と、
　一次コイルの第一端および第二端に接続するコネクタと、
を備えた、
　ネットワーク通信装置の過電圧保護構成。」
　
（３）当審における平成２３年６月７日付けで通知した拒絶の理由に引用された、本願優先日前に頒布された刊行物である特開２００２−６４９３２号公報（以下「刊行物３」という。）には、電子機器が有する外部端子や、アンテナ等に誘導される雷電圧または落雷から電子機器を保護するための放電回路に関して、次の技術的事項が記載されている。 
　（ア）「【０００４】図４に示す従来例の場合は、放電ギャップ１のみで、避雷対策を行っている。・・・」
　（イ）「【００１２】本発明は、雷等のサージ電圧を誘引するコンデンサＣＧを追加することにより、電子機器の充電部と非充電部の距離が安全規格を満たすように確保することができると共に、さらにコンデンサＣＧと交流ライン１１ａ、１１ｂ間に放電ギャップＧ２のギャップｇ２を追加することにより、さらに低電圧で放電が開始できるようにしている。」
　（ウ）「【００１４】図３は、本発明の実施の態様の第２の例を示し、図１に示す第１の例のラインフィルタ１２とセット１９との間に第３の放電ギャップＧ３を設けたものである。第３の放電ギャップＧ３のギャップｇ３の距離は、第１の放電ギャップＧ１のギャップｇ１の距離と同様で、６．１ｍｍである。第３の放電ギャップＧ３は、雷サージ印加時に急激に高電圧が放電されるため、ラインフィルタ１２のコイル１５、１６によりいわゆるサージ電圧が誘引される場合があるので、そのサージ電圧を吸収するためのスパークギャップである。・・・」
　
３．本願発明と引用発明との対比 
（１）両発明の対応関係
　(a)引用発明の「第１のプリント基板１の端部」は、本願発明の「回路板上」に相当し、以下同様に「複数のリード端子８ａ〜８ｈ」は、「複数のピン」に、「短時間で衝撃電圧が吸収される構成」は、「高圧インパルスプロテクタ」に、「グランド電位」は、「接地端」に相当する。
　(b)引用発明の「コンデンサ１２」は、「グランド電位へは、導電ランド４が抵抗１１及びコンデンサ１２を介して接続され」るものなので、本願発明の「導電層と前記接地端との間に接合されるキャパシタ」に相当する。
　(c)引用発明の「プリント基板装置」は、コネクタを備えたものなので、本願発明の「連接装置」に相当する。
　
　(d)引用発明の「コネクタ６」と、本願発明の「スロット」とは、後者が本願明細書【０００８】の「スロットを有するソケット」のスロットであって、コネクタの一部分を表すものであるので、「コネクタ」である点で共通する。
　(e)引用発明の「コネクタ６のリード端子８ａ〜８ｇと、第１のプリント基板１に配置された第２のプリント基板２の表面に形成された導電ランド４の突起４ｂとの間に放電ギャップ４ａが形成され、グランド電位へは、導電ランド４が抵抗１１及びコンデンサ１２を介して接続され」る回路で構成される、「コネクタ６を介して静電気等の衝撃電圧が印加されても、衝撃電圧が印加されたリード端子８ａ〜８ｇと突起４ｂとの間の放電ギャップ４ａで直ちに放電が発生し、短時間で衝撃電圧が吸収される構成」と、本願発明の「絶縁変圧器の前記一次コイルと接地端との間に配置される高圧インパルスプロテクタ」とは、
後者の「絶縁変圧器の前記一次コイル」が、「一次コイルの前記第一端および前記第二端に結合される複数のピン」と接続されているものであり、その「一次コイル」と「接地端との間」は、「複数のピンと接地端との間」と言い換えられるものである一方、
前者はリード端子８ａ〜８ｇとグランド電位との間に配置されたものであり、そのリード端子８ａ〜８ｇが、上記(a)記載の如く、本願発明の「複数のピン」に相当するものであるので、
両者は「複数のピンと接地端との間に配置される高圧インパルスプロテクタ」である点で共通する。
　(f)引用発明の「第１のプリント基板１に配置された第２のプリント基板２の表面に形成された導電ランド４」と、本願発明の「スロットの前記複数のピンに、直接接続しないように、それぞれ対応して配列される複数の尖端を有する導電層」とは、
前者が「コネクタ６のリード端子８ａ〜８ｇ」と、「導電ランド４の突起４ｂとの間に放電ギャップ４ａを形成」したものであるので、
「コネクタの前記複数のピンに、直接接続しないように、それぞれ対応して配列される複数の尖端を有する導電層」である点で共通する。
　
　(g)引用発明の「コネクタ６を介して静電気等の衝撃電圧が印加されても、衝撃電圧が印加されたリード端子８ａ〜８ｇと導電ランド４との間の放電ギャップ４ａで直ちに放電を発生させることができ、短時間で衝撃電圧を吸収すること」は、その放電ギャップ４ａが「リード端子８ａ〜８ｇ」と「突起４ｂとの間」に形成されたものであるので、尖端放電といえるものであり、その吸収が、導電ランド４が抵抗１１及びコンデンサ１２を介してグランド電位に接続され、静電気等の衝撃電圧を最終的にグランド電位に放電することにより行われるものであるので、本願発明の「高圧インパルスが発生する時、高圧により生じる過電流を尖端放電により接地端に放電すること」とに相当する。
　
（２）両発明の一致点
「回路板上に配置される複数のピンを有するコネクタと、
　複数のピンと接地端との間に配置される高圧インパルスプロテクタと、を備え、
　前記高圧インパルスプロテクタは、前記コネクタの前記複数のピンに、直接接続しないように、それぞれ対応して配列される複数の尖端を有する導電層と、前記導電層と前記接地端との間に接合されるキャパシタとを有し、高圧インパルスが発生する時、高圧により生じる過電流を尖端放電により接地端に放電することを特徴とする連接装置。」
　
（３）両発明の相違点
　ア．本願発明は、「それぞれ第一端と、第二端と、タップとを有する一次コイルおよび二次コイルを有する少なくとも一つの絶縁変圧器と、
　信号線間の高圧インパルス保護を実行する少なくとも一つの過渡電圧サプレッサと、」を備え、複数のピンが、「前記一次コイルの前記第一端および前記第二端に結合される」ものであるのに対して、引用発明は、絶縁変圧器を備えたものでない点。
　
　イ．本願発明は、高圧インパルスプロテクタが、「絶縁変圧器の前記一次コイル」と接地端との間に配置されるものあるのに対して、引用発明の「コネクタ６を介して静電気等の衝撃電圧が印加されても、衝撃電圧が印加されたリード端子８ａ〜８ｇと突起４ｂとの間の放電ギャップ４ａで直ちに放電が発生し、短時間で衝撃電圧が吸収される構成」（本願発明の「高圧インパルスプロテクタ」に相当するもの）は、「リード端子８ａ〜８ｇ」（本願発明の「複数のピン」に相当するもの）とグランド電位（本願発明の「接地端」に相当するもの）との間に配置されるものである点。
　
　ウ．本願発明は、「回路板上に配置され、」「複数のピンを有する」部品が、「スロット」であるのに対して、引用発明は、コネクタの細部形状が特定されない点。
　
４．容易想到性の検討
　ア．相違点ア．イ．について
　(a)刊行物２記載の発明の「センタタップ」及び「２つの絶縁変圧器」は、本願発明の「タップ」及び「少なくとも一つの絶縁変圧器」に相当する。
　また、刊行物２記載の発明の「一方の電極が絶縁変圧器のセンタタップに接続され、他方の電極がアースまたはＥＳＤ事象によって出される電荷を除去することができる他の低インピーダンス経路に結合された、プリント回路基板上に配置された２つの平行導体電極」は、刊行物２記載事項（ウ）の静電放電（ＥＳＤ）事象で生じる損傷を防ぐためのものなので、本願発明の「信号線間の高圧インパルス保護を実行する少なくとも一つの過渡電圧サプレッサ」に相当する。
　また、刊行物２記載の発明の「一次コイルの第一端および第二端に接続するコネクタ」と、本願発明の「一次コイルの前記第一端および前記第二端に結合される複数のピンを有するスロット」とは、
前者のコネクタが、記載事項（イ）の「ＲＪ−４５コネクタ」に対応するものであり、複数の接続ピンを有するものであるので、
両者は、実質的に「一次コイルの前記第一端および前記第二端に結合される複数のピンを有するコネクタ」である点で共通するものである。
　
　(b)そして、引用発明の「プリント基板に組み込まれた回路部品を衝撃的に高い電圧から保護することに適したプリント基板装置」と、刊行物２記載の「ネットワーク通信装置」とは、共に、コネクタを備えた過電圧保護の対象となる装置であり、さらに、過電圧保護の対象となる装置に、複数の過電圧保護手段を併設することも、刊行物３、他にも、実公平３−８５２号公報（第２欄第２５行〜第３欄第１行記載の「避雷管Ａ１，Ａ２が動作するまでの間サ−ジ電圧を吸収するべく動作する」サージ吸収素子Ｓ１，Ｓ２）、特開２００５−３４１６５７号公報（複数の雷サージを吸収する素子２２，２２ａ、２２ｂ）に記載されているように周知慣用の技術であって、引用発明の「プリント基板に組み込まれた回路部品を衝撃的に高い電圧から保護することに適したプリント基板装置」に、刊行物２記載の過電圧保護構成を付加することに特段の困難性が存在するものでないことを考慮すると、引用発明の「プリント基板装置」に、刊行物２記載の発明のような「それぞれ第一端と、第二端と、センタタップとを有する一次コイルおよび二次コイルを有する２つの絶縁変圧器」及び「一方の電極が絶縁変圧器のセンタタップに接続され、他方の電極がアースまたはＥＳＤ事象によって出される電荷を除去することができる他の低インピーダンス経路に結合された、プリント回路基板上に配置された２つの平行導体電極」（本願発明の「信号線間の高圧インパルス保護を実行する少なくとも一つの過渡電圧サプレッサ」に相当するもの）を設けて、相違点ア．に係る発明特定事項とすることは当業者が容易に想到し得たことである。
　
　(c)なお、刊行物２記載の発明のような、絶縁変圧器を用いた過電圧保護は、刊行物２においても「従来の技術」として扱われている様に、標準的な過電圧保護手法ともいえるものであり、また、同様に絶縁変圧器のセンタタップを異常電圧時の放電経路とすることも、周知慣用の過電圧保護回路の一態様であり、それらは過電圧保護手段として特殊なものではない。
　
　(d)また、刊行物２記載の発明のコネクタは、「一次コイルの前記第一端および前記第二端に接続」されるものであるので、上記(b)にともない、引用発明のコネクタの「複数のリード端子８ａ〜８ｈ」（本願発明の「複数のピン」に相当するもの）をそのような接続関係のものとして、相違点イ．に係る発明特定事項とすることも当業者が容易に想到し得たことである。
　
　イ．相違点ウ．について
　刊行物１において、コネクタ６の詳細構造は説明されていないので、コネクタ６が、プラグかジャックかを特定できるものではないが、コネクタ装置のプラグ・ジャックの配置手法として、ジャックを装置や基板等の固定側部材に配し、接続線等の移動側部材にプラグを配する用法が周知慣用の態様で有ることを考慮すると、刊行物１のコネクタ６をプラグが挿入される凹部（本願発明の「スロット」に相当する構成）を有するジャックとすることは、当業者が容易になし得ることであり、そうすることで相違点ウ．に係る発明特定事項とすることは当業者が容易に想到し得たことである。
　
　本願発明の作用効果は、引用発明、刊行物２記載の発明、及び当業者に周知の事項から当業者であれば予測できた範囲のものである。
　すると、本願発明は、引用発明、刊行物２記載の発明、及び当業者に周知の事項に基づいて当業者が容易に発明をすることができたものということができる。
　
５．むすび
　以上のとおり、本願発明は、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。